(57)【要約】【課題】省スペース及び簡単な構成でファインダ内に表示する表示装置を備えたファインダ装置を提供する。【解決手段】被写体像が結像される焦点板８と、焦点板８上に結像された被写体像を反転する反転光学系３と、互いに平行に形成された入射面９ａ及び射出面９ｂと、上記入射面９ａから入射した光束を反射する第１反射面９ｃと、上記第１反射面９ｃにて反射された光束を上記射出面９ｂに向けて反射する第２反射面９ｄと、を有する表示光学系９と、上記入射面９ａに対向するように配され、所定の表示範囲を有する表示素子１３と、を具備し、上記射出面９ｂは、上記反転光学系３の入射面３ａに対向するように配され、上記入射面９ａと上記第１反射面９ｃとの成す角は鋭角であり、上記入射面９ａと上記第２反射面９ｄとの成す角は鈍角であることを特徴とする。【選択図】  図２
2005017404.tif 000002
【特許請求の範囲】
【請求項１】
撮影光学系からの光束をファインダ光学系に向けて反射する反射部材と、
上記反射部材からの反射光軸上であって被写体像が結像される焦点板と、
上記焦点板上に結像された被写体像を反転するための反転光学系と、
互いに平行に形成された入射面及び射出面と、上記入射面から入射した光束を所定の方向に向けて反射する第１反射面と、上記第１反射面にて反射された光束を上記射出面に向けて反射する第２反射面と、を有する表示光学系と、
上記入射面に対向するように配され、所定の表示範囲を有する表示素子と、
を具備し、
上記表示光学系の上記射出面は、上記反転光学系の入射面に対向するように配され、
上記表示光学系の入射面と上記第１反射面との成す角は鋭角であり、上記表示光学系の入射面と上記第２反射面との成す角は鈍角であることを特徴とするファインダ装置。
【請求項２】
上記第１反射面と上記第２反射面とは、平行であることを特徴とする請求項１に記載のファインダ装置。
【請求項３】
上記第２反射面は、上記表示光学系への入射光軸に直交する方向で、上記表示素子の表示範囲を避けた位置に配されることを特徴とする請求項１乃至２に記載のファインダ装置。
【請求項４】
撮影光学系からの光束をファインダ光学系に向けて反射する反射部材と、
上記反射部材からの反射光軸上であって被写体像が結像される焦点板と、
上記焦点板からの光束が入射される入射面と、被写体像を反転するための反射面と、上記反射面からの光束を射出する射出面とを有する反転光学系と、
上記反転光学系の入射面と略平行に配された入射面及び射出面と、互いに略平行な２つの反射面とを有する表示光学系と、
上記表示光学系の入射面と略平行に配された表示素子と、
を具備し、
上記表示光学系は上記反転光学系の入射面に近接して配置され、上記表示光学系及び上記表示素子は、上記反転光学系の入射光軸方向で上記反転光学系の入射面から上記焦点板までの範囲内に配されることを特徴とするファインダ装置。
【請求項５】
上記反転光学系の射出光軸上に配される接眼光学系を有し、
上記表示光学系及び上記表示素子は、上記反転光学系の射出光軸方向で上記接眼光学系よりも上記反転光学系側に配されることを特徴とする請求項４に記載のファインダ装置。
【発明の詳細な説明】
【０００１】
【発明の属する技術分野】
本発明は、ファインダ装置、詳しくは、ファインダ光学系を用いて被写体を観察し、固体撮像素子を用いて被写体像を撮像するデジタルカメラのファインダ装置に関する。
【０００２】
【従来の技術】
周知のように、一眼レフタイプのカメラのファインダ装置は、焦点板、ペンタプリズム、接眼部を有するファインダ光学系で、その主要部が構成されており、撮影者は、撮影レンズ及び可動ミラーにより焦点板上に結像された被写体像を、ペンタプリズムを介して、接眼部より視認するようになっている。
【０００３】
また、ペンタプリズムの近傍に、さらに表示素子を配設して、該表示素子に、シャッタ速度及び絞り値等の撮影に関する情報を表示することにより、各種撮影に関する情報を被写体像とともに、ペンタプリズムを介して視認できるファインダ装置も周知であり、例えば特許文献１、または特許文献２に提案されている。
【０００４】
特許文献１のファインダ装置では、焦点板の上方、及びペンタプリズムの入射面の接眼部よりの下方に、三角形状を有する表示光学系が配設され、該表示光学系よりも接眼部よりの位置に表示素子がカメラの縦方向に沿うように載置されている。表示素子から射出された光束は、三角形状の表示光学系の反射面で１回反射してペンタプリズムの入射面に入射され、該ペンタプリズムは、この光束を反射して、接眼部に向けて光束を射出する。このような構成により、ファインダ内に所望の表示を行っている。
【０００５】
また、特許文献２のファインダ装置では、焦点板の上方、及びペンタプリズムの入射面の接眼部よりの下方に、台形形状を有する表示光学系が配設され、該表示光学系の上方、及びペンタプリズムの射出面よりも接眼部側であって、接眼部を構成する接眼レンズの下方に表示素子がカメラの横方向に沿うように載置されている。さらに、表示素子の上方、並びに接眼部を構成する接眼レンズの下方には、表示素子を照射するバックライトが配設されている。表示素子から射出された光束は、台形形状の表示光学系の反射面で２回反射してペンタプリズムの入射面に入射され、該ペンタプリズムは、この光束を反射して、接眼部に向けて光を射出する。このような構成により、ファインダ内に所望の表示を行っている。
【０００６】
【特許文献１】
特開平８−２６２３３１号公報
【０００７】
【特許文献２】
特開平９−１６６８１２号公報
【０００８】
【発明が解決しようとする課題】
しかしながら、上記特許文献１では、表示素子は縦向きに載置されているため、ペンタプリズムと焦点板との縦方向の間隔が大きくなってしまい、その結果、カメラの高さ方向の幅が大きくなってしまうといった問題がある。
【０００９】
また、特許文献２では、バックライトが接眼レンズの近傍に配設されているため、バックライトの散乱光により、ゴーストやフレアが発生する虞がある。このため、接眼レンズとバックライトを離して配設すると、ペンタプリズムと焦点板との縦方向の間隔が大きくなってしまい、その結果、カメラの高さ方向の幅が大きくなってしまうといった問題がある。
【００１０】
本発明は、上記問題に鑑みてなされたものであり、その目的は、省スペース及び簡単な構成でファインダ内に表示する表示装置を備えたファインダ装置を提供するにある。
【００１１】
【課題を解決するための手段、及び作用】
上記の目的を達成するために本発明によるファインダ装置は、撮影光学系からの光束をファインダ光学系に向けて反射する反射部材と、上記反射部材からの反射光軸上であって被写体像が結像される焦点板と、上記焦点板上に結像された被写体像を反転するための反転光学系と、互いに平行に形成された入射面及び射出面と、上記入射面から入射した光束を所定の方向に向けて反射する第１反射面と、上記第１反射面にて反射された光束を上記射出面に向けて反射する第２反射面と、を有する表示光学系と、上記入射面に対向するように配され、所定の表示範囲を有する表示素子と、を具備し、上記表示光学系の上記射出面は、上記反転光学系の入射面に対向するように配され、上記表示光学系の入射面と上記第１反射面との成す角は鋭角であり、上記表示光学系の入射面と上記第２反射面との成す角は鈍角であることを特徴とし、また、上記第１反射面と上記第２反射面とは、平行であることを特徴とし、さらに、上記第２反射面は、上記表示光学系への入射光軸に直交する方向で、上記表示素子の表示範囲を避けた位置に配されることを特徴とする。
【００１２】
また、本発明によるファインダ装置は、撮影光学系からの光束をファインダ光学系に向けて反射する反射部材と、上記反射部材からの反射光軸上であって被写体像が結像される焦点板と、上記焦点板からの光束が入射される入射面と、被写体像を反転するための反射面と、上記反射面からの光束を射出する射出面とを有する反転光学系と、上記反転光学系の入射面と略平行に配された入射面及び射出面と、互いに略平行な２つの反射面とを有する表示光学系と、上記表示光学系の入射面と略平行に配された表示素子と、を具備し、上記表示光学系は上記反転光学系の入射面に近接して配置され、上記表示光学系及び上記表示素子は、上記反転光学系の入射光軸方向で上記反転光学系の入射面から上記焦点板までの範囲内に配されることを特徴とし、また、上記反転光学系の射出光軸上に配される接眼光学系を有し、上記表示光学系及び上記表示素子は、上記反転光学系の射出光軸方向で上記接眼光学系よりも上記反転光学系側に配されることを特徴とする。
【００１３】
【発明の実施の形態】
以下、図示の実施の形態によって本発明を説明する。
尚、以下の実施の形態では、ファインダ装置は、デジタル一眼レフカメラに用いるファインダ装置を例に挙げて説明する。
【００１４】
図１は、本発明の一実施の形態を示すファインダ装置を有するデジタル一眼レフカメラの光軸に沿う縦断面図である。
以下の説明において、カメラに取り付けられる撮影光学系の光軸Ｏに沿った方向にてカメラ側マウント部側を前方とし、固体撮像素子側を後方とする。また、上記光軸Ｏに直交する方向にてペンタプリズム側を上方、可動ミラー側を下方とする。
【００１５】
図１に示すように、デジタル一眼レフカメラ１の内部の前端には、撮影光学系を保持するレンズ鏡筒（図示せず）を装着するための、開口部１２Ａを有するカメラ側マウント部１２が配設されており、該マウント部１２の光軸Ｏの後方（以下、後方と称す）には、後述する撮像素子ユニット１０の固体撮像素子１０ａによる露光（撮像）動作の際にはミラーアップの位置に移動して撮影光路から待避し、後述するファインダ光学系を介して被写体像を観察する際には撮影光路にあるミラーダウンの位置に移動するハーフミラーで形成された反射部材である可動ミラー２が配設されており、該可動ミラー２の上方、即ち反射光路（光軸）上には、この可動ミラー２にて反射された被写体光束が結像する焦点板８が配設されている。また、該焦点板８の上方には、入射面３ａ，反射面３ｂ，３ｄ、射出面３ｅを有する反転光学系であるペンタプリズム３が配設されており、光束がペンタプリズム３の射出光軸Ｌ１に沿って射出される。さらに、このペンタプリズム３後方には、このペンタプリズム３を介して焦点板８上に結像した被写体像を所定量拡大して観察するための複数のレンズ群４ａから構成される接眼部４が配設されている。尚、焦点板８、ペンタプリズム３、接眼部４は、ファインダ光学系５０を構成している。また、可動ミラー２の後方にはシャッタユニット５が配設されており、該シャッタユニット５の後方には、固体撮像素子１０ａを有する撮像素子ユニット１０が配設されている。さらに、ペンタプリズム３の入射面３ａの近傍には、ペンタプリズム３を介して後述する表示素子１３に表示された撮影に関する情報をペンタプリズム３に導くための、縦断面が平行四辺形形状を有する表示光学系（以下、プリズムと称す）９と、例えば液晶で構成される表示素子（以下、ＬＣＤと称す）１３と、該ＬＣＤ１３を照明するための照明手段としてバックライト１１が配設されている。このプリズム９，ＬＣＤ１３，バックライト１１は、ペンタプリズム３への入射光軸に沿う方向で、ペンタプリズム３の入射面３ａと焦点板８までの間に配されており、シャッタユニット５の上方に配されている。そしてペンタプリズム３からの射出光軸Ｌ１に沿う方向では、ペンタプリズム３の射出面３ｅと接眼部４のレンズ群４ａとの間であって、射出光軸Ｌ１に沿う方向でペンタプリズム３の射出面３ｅ寄りの位置、且つ、焦点板８よりもレンズ群４ａ側に配されている。
【００１６】
尚、デジタルカメラ１のファインダ装置１００は、焦点板８、ペンタプリズム３、レンズ群４ａで構成されるファインダ光学系５０と、プリズム９と、ＬＣＤ１３と、バックライト１１により、その主要部が構成されている。
【００１７】
マウント部１２は、撮像素子ユニット１０の固体撮像素子１０ａの撮像面の光軸方向に直交する方向の大きさよりも、広く形成されている。これは、一般に、固体撮像素子が有している斜め方向より入射した光線を受光し難い性質により、受光光量の劣化を防ぐためである。つまり、固体撮像素子１０ａの撮像範囲の大きさに比して、マウント部１２の開口部１２Ａを大きくすることにより、固体撮像素子１０ａの撮像範囲の周辺部に入射する光線の角度が所定の角度よりも傾くことがないようにすることができる。従って、固体撮像素子を用いたカメラの場合、銀塩フィルムを用いたカメラに比して、撮像範囲の大きさに対するマウント部１２の開口部１２Ａの開口径が大きくなる傾向にある。
【００１８】
また、焦点板８及び可動ミラー２のミラーアップ位置は、開口部１２Ａの内周縁から入射した光束を遮ることのないように入射光束の光路よりも高い位置とする必要があり、固体撮像素子１０ａよりも上側に配置される。
【００１９】
図２は、図１のファインダ光学系５０を拡大して示した光軸に沿う縦断面図である。
図２に示すように、ファインダ装置１００は、焦点板８と、ペンタプリズム３と、絞り２０と、プリズム９と、ＬＣＤ１３と、バックライト１１と、複数の接眼レンズ群４ａを有する接眼部４とで、その主要部が構成されている。
【００２０】
ペンタプリズム３の入射面３ａの近傍に配設されたプリズム９は、ＬＣＤ１３から射出された光束を、ペンタプリズム３に導くためのものであり、上述したように、縦断面が平行四辺形状を有しており、互いに平行に形成された入射面９ａ及び射出面９ｂと、入射面９ａから入射した光束を所定の方向に向けて反射する第１反射面９ｃと、該第１反射面９ｃにて反射された光束を射出面９ｂに向けて反射する第２反射面９ｄとで構成されている。
【００２１】
第１反射面９ｃと第２反射面９ｄは、平行に形成されており、また、入射面９ａと第１反射面９ｃは、鋭角に形成されており、さらに、入射面９ａと第２反射面９ｄは、鈍角に形成されている。
【００２２】
入射面９ａおよび射出面９ｂは、ペンタプリズム３の入射面３ａ及びＬＣＤ１３と略平行であり、入射面９ａは、ＬＣＤ１３と対向する位置に配され、射出面９ｂは、ペンタプリズム３の入射面３ａと対向する位置に配されている。また、射出面９ｂとペンタプリズム３の入射面３ａとの間には、規定の大きさの開口２０Ａを有する絞り２０が配設されている。
【００２３】
第２反射面９ｄは、プリズム９の入射面９ａへの入射光軸に直交する方向で、ＬＣＤ１３の後述する表示範囲１３Ａを避けた位置に配されている。
【００２４】
このように、第２反射面９ｄをＬＣＤ１３の表示範囲１３Ａから離間して配置することにより、ＬＣＤ１３から射出された光束が、第１反射面９ｃにて反射することなく、直接第２反射面９ｄに入射することがなくなる。また、第２反射面９ｄと入射面９ａとが成す角が鈍角となるように配されることによっても、ＬＣＤ１３から射出された光束が、第１反射面９ｃにて反射することがなく、直接、第２反射面９ｄに入射することがなくなる。このように第２反射面９ｄを配置することにより、ＬＣＤ１３から不要な光線がペンタプリズム３へ入射することが防止される。
【００２５】
また、上述したように、第１反射面９ｃと入射面９ａとが成す角を鋭角とすることにより、ＬＣＤ１３から射出された光束の殆どが第１反射面９ｂにて反射した後に第２反射面９ｄに入射する。このように、第１反射面９ｃを入射面９ａに対し鋭角となるように配置することによっても、ＬＣＤ１３からの不要な光線がペンタプリズム３へ入射することが防止される。
【００２６】
本実施の形態においては、上述したようなプリズム９の形状及び配置により、不要な光束がペンタプリズム３へ入射することに起因するゴーストやフレアを防止することができる。尚、第１の反射面９ｃ及び第２の反射面９ｄは、光束を全反射するようになっている。
【００２７】
ＬＣＤ１３は、表示範囲１３Ａを有し、この表示範囲１３Ａの表示より、図４に示すようなシャッタ速度及び絞り値等の撮影に関する情報が表示される。また、このＬＣＤ１３は、プリズム９の入射面９ａに略平行に対向するようにカメラの横方向に沿うように配設されており、該ＬＣＤ１３のプリズム９への入射光軸に対して後端の面には、フレキシブル基板（以下、ＦＰＣと称す）２３が固着されている。
【００２８】
バックライト１１は発光ダイオードやエレクトロルミネッセンスなどからなり、ＬＣＤ１３のプリズム９への入射光軸後方に配設されており、ＬＣＤ１３を後方から照明することよって、表示範囲１３Ａに表示された図４に示すようなシャッタ速度及び絞り値等の撮影に関する情報の光束を、プリズム９に射出する。
【００２９】
ペンタプリズム３は、上述したように、入射面３ａから入射した光束を反射して射出面３ｅから射出するための、反射面３ｂ，３ｄを有している。なお、符号３ｃで示す部分は、バックライト１１、ＬＣＤ１３からの不要光を反射することのないように反射防止処理がなされている。
【００３０】
絞り２０は、プリズム９から射出される光束を、開口２０Ａで規定の範囲に制限するためのものである。
【００３１】
このように構成されたファインダ装置１００においては、撮影者は、バックライト１１の照射中は、焦点板８に結像された被写体像と共に、ＬＣＤ１３に表示された撮影に関する情報をペンタプリズム３を介して観察することができる。なお、図２で示すＬ２は、ＬＣＤ１３による表示の光路を示す。
【００３２】
まず、ＬＣＤ１３から射出した光束は、プリズム９の入射面９ａに入射され、第１反射面９ｃで反射され、さらに、射出面９ｂに向けて第２反射面９ｄで反射され、射出面９ｂからペンタプリズム３の入射面３ａに射出される。
【００３３】
次に、ペンタプリズム３の入射面３ａに入射された光束は、反射面３ｂで反射され、さらに、反射面３ｄで反射されて、射出面３ｅから射出される。その後、該射出面３ｅから射出された光束は、接眼部４の複数の接眼レンズ群４ａを介して撮影者によって視認される。
【００３４】
図３は、図２のファインダ装置１００を構成する部材の一部の接続態様を示した、分解斜視図である。
図３に示すようにペンタプリズム３は、プリズム枠４に載置されている。そしてプリズム枠４０のペンタプリズム３の入射面３ａと対向する位置には、ペンタプリズム３へ光束を入射させるための関口４０Ａが形成されている。この開口４０Ａの周縁部後方（図３では右方）には、絞り２０のペンタプリズム３側の面が当接する絞り取り付け面４０Ｂが形成されている。
【００３５】
また、絞り取り付け面４０Ｂには、絞り２０のプリズム枠４０に対する位置を規制するため絞り・プリズム用ピン４０ａがペンタプリズム３とは反対側に向けて突出して、図中上下に２箇所形成されている。この絞り・プリズム用ピン４０ａの周囲には、絞り取り付け面４０Ｂから突出して形成された、コの宇状の突条４０ｄが配置されている。この突条４０ｄは、後述するＬＣＤ枠３０の溝部と嵌合することによりバックライト１１からの光が漏れることを防止している。
【００３６】
さらに、この突粂４０ｄの後方には、後述するＬＣＤ枠３０のプリズム枠４０に対する位置を規定するためのＬＣＤ枠用孔４０ｂが図中上下に２箇所、形成されている。そしてこのＬＣＤ枠用孔４０ｂの近傍には、後述するＬＣＤ押さえ６０をプリズム枠４０に固定するためのビス孔４０ｃが形成されている。
【００３７】
絞り２０は、全体に薄板状に形成され、前方（図３では左側）に突出する突出部を有し、この突出部に開口２０Ａが穿接されている。さらに、上記絞り・プリズム用ピン４０ａに対応する位置に、位置決め孔２０ｂを有している。絞り２０の位置決め孔２０ｂには、プリズム枠４０の絞り・プリズム用ピン４０ａが嵌入することにより、絞り２０のプリズム枠４０に対する位置が規定される。
【００３８】
プリズム９は両端部にプリズム保持部９０が一体的に形成されており、このプリズム保持部９０には、後述するＬＣＤ枠３０に向けて突出するように形成された位置決めボス９０ａが配されている。また、上記プリズム保持部９０のプリズム枠４０側の面には、上述した絞り・プリズム用位置決めピン４０ａが嵌入するように形成された図示しない孔部が配されている。この孔部に絞り・プリズム用位置決めピン４０ａが嵌入することにより、プリズム９のプリズム枠４０に対する位置が規定される。そして、プリズム９がプリズム枠４０に組み付けられた状態で、プリズム９の射出面９ｂが絞り２０の開口２０Ａと対向するように配される。
【００３９】
ＬＣＤ枠３０はＬＣＤ１３、バックライト１１を保持する枠部材であって、額縁状に形成されたフレーム部３０Ａと、このフレーム部３０Ａからプリズム９の長手方向に沿うように形成された突出部３０Ｂとで構成されている。そしてこの突出部３０Ｂの上記プリズム保持部９０に形成された位置決めボス９０ａに対応する位置には、プリズム用孔３０ａが貫通して形成されている。このプリズム用孔３０ａに位置決めボス９０ａが嵌入することにより、プリズム９に対するＬＣＤ枠３０の位置が規定される。
【００４０】
また、上記プリズム用孔３０ａの近傍には後述するＬＣＤ押さえ６０を取り付けるためのＬＣＤ押さえ用孔３０ｃが形成されている。そして、このＬＣＤ押さえ用孔３０ｃの近傍にはＬＣＤ押さえ位置規制用突起３０ｄが形成されている。さらに、フレーム部３０ＡのＬＣＤ１３が配される側の面には、ＬＣＤ押さえ６０の位置を規定するためのＬＣＤ押さえ用突起３０ｂが突設されている。
【００４１】
さらに、額縁状に形成されたフレーム部３０Ａの内部には、フレーム部３０Ａの対向する２辺を連結する連結部３２が配設されている。この連結部３２はＬＣＤ１３の長手方向に沿って形成されており、この連結部３２には、連結部３２と略平行に形成されたバネ部３２が一体的に形成されている。なお、バネ部３２は、連結部３２の略中央部の―箇所で連結されており、長手方向の端部であって、ＬＣＤ１３に接続されるＦＰＣ２３を避けた位置には、ＬＣＤ１３に向けて突出するＬＣＤ位置規制用突起３３ａが形成されている。
【００４２】
このように形成されたフレーム部３０Ａの内部にＦＰＣ２３が接続されたＬＣＤ１３を挿入すると、上記ＬＣＤ位置規制用突起３３ａがＬＣＤ１３のＦＰＣ２３が接続された側の端部と係合することにより、上記バネ部３３が所定量弾性変形する。これにより、ＬＣＤ１３を弾性的に保持するとともに、ＬＣＤ１３の一端面をフレーム部３０Ａの内周に当接させてＬＣＤ１３のＬＣＤ枠３０に対する位置が規定される。
【００４３】
また、フレーム部３０Ａのプリズム枠４０側の面には、図示はしないがプリズム枠４０に形成されたＬＣＤ枠用孔４０ｂに嵌入する突起が形成されている。
【００４４】
ＬＣＤ１３の端部にはＦＰＣ２３が電気的に接続されており、図示しないカメラの制御手段によりＬＣＤ１３の表示制御がなされる。ＬＣＤ１３はＬＣＤ枠３０に取り付けられた状態で、表示範囲１３Ａを避けた位置にて連結部３２に当接する。これにより、ＬＣＤ枠３０に対するプリズム９への入射光軸方向のＬＣＤ１３の位置が規定される。そして上述したようにＬＣＤ枠３０のバネ部３３により弾性的に保持される。
【００４５】
バックライト１１の後述するＬＣＤ押さえ６０に対向する側の面には、ＬＣＤ押さえ６０に対する位置を規定するためのＬＣＤ押さえ用突起１１ａが形成されている。このＬＣＤ押さえ用突起１１ａがＬＣＤ押さえ６０に形成された位置決め孔６０ａに嵌入することにより、ＬＣＤ押さえ６０に対するバックライト１１の位置が規定される。なお、バックライト１１はＬＣＤ押さえ６０に対し、位置決めされた状態で、粘着テープなどにより固定される。
【００４６】
ＬＣＤ押さえ６０は全体に薄板状に形成されており、ＬＣＤ枠３０全体を覆うように形成されている。そして、その周縁部であって、ＬＣＤ押さえ用孔３０ｃに対応する位置からＬＣＤ枠３０に向けてＬ字型に折り曲げられて一体的に形成された腕部６０ｄを有している。なお、この腕部６０ｄにはそれぞれ位置決め孔６０ｅが形成されている。ＬＣＤ押さえ６０をＬＣＤ枠３０に取り付けた状態では、腕部６０ｄはＬＣＤ押さえ月孔３０ｃに挿入されるとともに、位置決め孔６０ｅにＬＣＤ押さえ位置規制用突起３０ｄが係合される。
【００４７】
また、ＬＣＤ押さえ６０の略中央部であって、上記バックライト１１に形成されたＬＣＤ押さえ用突起１１ａに対応する位置には、位置決め孔６０ａが形成されている。
【００４８】
さらに、ＬＣＤ枠３０に形成されたＬＣＤ押さえ用突起３０ｂに対応する位置には、このＬＣＤ押さえ用突起３０ｂが嵌入する位置決め孔６０ｂが形成されている。ＬＣＤ押さえ６０をＬＣＤ枠３０に取り付けた状態で、この位置決め孔６０ｂにＬＣＤ押さえ用突起３０ｂが嵌入することでＬＣＤ枠３０に対するＬＣＤ押さえ６０の位置が規定される。
【００４９】
また、プリズム枠４０に形成されたビス孔４０ｃに対応する位置からは、プリズム枠４０に向けて折り曲げて形成された腕部６０ｆが形成されている。そしてこの腕部６０ｆにはＬＣＤ押さえ６０をプリズム枠４０に固定するためのビス７０のための孔部６０ｃが形成されている。
【００５０】
そして、バックライト１１が固定されたＬＣＤ押さえ６０は、ＬＣＤ１３が組み付けられたプリズム枠３０に取り付けられる。このとき、位置決め孔６０ｅにＬＣＤ押さえ位置規制用突起３０ｄが係合されることで、ＬＣＤ枠３０とＬＣＤ押さえ６０が一体化される。このようにして―体化されたＬＣＤ枠３０とＬＣＤ押さえ６０をＬＣＤ押さえ６０に形成された孔部６０ｃを介してプリズム枠４０にビス７０にて固定する。これにより、プリズム枠４０に組み付けられた絞り２０及びプリズム９をプリズム枠４０とＬＣＤ枠３０との間に挟み込むことにより、絞り２０及びプリズム９が固定される。
【００５１】
このように、本発明の一実施の形態のファインダ装置においては、ファインダ内の表示を行う表示装置を構成する、平行四辺形状のプリズム９、及びＬＣＤ１３、バックライト１１を、ペンタプリズム３への入射光軸に沿う方向で、ペンタプリズム３の入射面３ａと焦点板８までの間に配されており、シャッタユニット５の上方に配されている。そしてペンタプリズム３からの射出光軸Ｌ１に沿う方向では、ペンタプリズム３の射出面３ｅと接眼部４のレンズ群４ａとの間であって、射出光軸Ｌ１に沿う方向でペンタプリズム３の射出面３ｅ寄りの位置、且つ、焦点板８よりもレンズ群４ａ側に配されている。更に、ＬＣＤ１３の表示面及びバックライト１１の照射面をペンタプリズム３の入射面と略平行となるように配置している。
【００５２】
よって、プリズム９、ＬＣＤ１３、及びバックライト１１を、ペンタプリズム３の入射面３ａと焦点板８との間に配設することができるため、カメラの縦方向の寸法を小さくすることができる。
【００５３】
また、ＬＣＤ１３及びバックライト１１をペンタプリズム３の射出光軸Ｌ１から離間して配置することができるため、フレアやゴーストが発生することがない。さらに、表示光学系としてのプリズム９の各反射面と入射面を適切に配置することにより、ＬＣＤ１３、バックライト１１からの不要光がペンタプリズム３に入射することも防止できる。
【００５４】
尚、本実施の形態では、ファインダ装置は、デジタル一眼レフカメラに用いるファインダ装置を例に挙げて説明したが、これに限らず、一眼レフタイプの銀塩カメラに用いても良いことを云うまでもない。
【００５５】
【発明の効果】
以上、述べたように本発明によれば、省スペース及び簡単な構成でファインダ内に表示する表示装置を備えたファインダ装置を提供することができる。
【図面の簡単な説明】
【図１】本発明の一実施の形態を示すファインダ装置を有するデジタル一眼レフカメラの光軸に沿う縦断面図、
【図２】図１中のファインダ光学系を拡大して示した光軸に沿う縦断面図、
【図３】図２中のファインダ光学系を構成する部材の一部の接続態様を示した分解斜視図、
【図４】図２中のＬＣＤの表示範囲に表示される撮影に関する情報を示したファインダ表示図。
【符号の説明】
２…可動ミラー（反射部材）
３…ペンタプリズム（反転光学系）
３ａ…入射面
３ｂ，３ｄ…反射面
３ｅ…射出面
４ａ…接眼レンズ群（接眼光学系）
８…焦点板
９…プリズム（表示光学系）
９ａ…入射面
９ｂ…射出面
９ｃ…第１反射面
９ｄ…第２反射面
１３…ＬＣＤ（表示素子）
１３Ａ…表示範囲
５０…ファインダ光学系
１００…ファインダ装置
【図１】
2005017404.tif 000003
【図２】
2005017404.tif 000004
【図３】
2005017404.tif 000005
【図４】
2005017404.tif 000006